(57)【要約】      （修正有）【課題】蓋板の閉鎖が比較的容易な箱用シートを提供する。【解決手段】箱用シートは、対向し合う第１及び第２の端縁１ａ，１ｂ並びに対向し合う第３及び第４の端縁１ｃ，１ｄを有し、組立て状態で底板を形成する底板部１と、底板部の第１乃至第４の端縁からそれぞれ延出して設けられ、組立て状態で側板を構成する第１乃至第４の側板部２，３，４，５と、第１及び第２の側板部の延出側の端縁からそれぞれ延出して設けられ、組立て状態で天板を構成する第１及び第２の蓋板部６，７と、第３及び第４の側板部の延出側の端縁からそれぞれ延出して設けられ、組立て状態で第１及び第２の蓋板部の下側に配される一対のフランジ部８，９とを備え、一対のフランジ部に、第３及び第４の側板部の延出側の端縁に沿ってスリット１６，１７が形成され、第１の蓋板部が、組立て状態でスリットにそれぞれ係入可能な一対の差込片１４，１５を有し、スリットの第１の端縁側の幅が第２の端縁側の幅よりも大きい。【選択図】図１
0003197531.tif 000002
【実用新案登録請求の範囲】
【請求項１】
一枚のシートからなり、底板と天板と複数の側板とを有する箱に組立てられる箱用シートであって、
対向し合う第１及び第２の端縁並びに対向し合う第３及び第４の端縁を有し、組立て状態で底板を形成する底板部と、
上記底板部の第１乃至第４の端縁からそれぞれ延出して設けられ、組立て状態で側板を構成する第１乃至第４の側板部と、
上記第１及び第２の側板部の延出側の端縁からそれぞれ延出して設けられ、組立て状態で天板を構成する第１及び第２の蓋板部と、
上記第３及び第４の側板部の延出側の端縁からそれぞれ延出して設けられ、組立て状態で第１及び第２の蓋板部の下側に配される一対のフランジ部とを備え、
上記一対のフランジ部に、第３及び第４の側板部の延出側の端縁に沿ってスリットが形成され、
上記第１の蓋板部が、組立て状態で上記スリットにそれぞれ係入可能な一対の差込片を有し、
上記スリットの第１の端縁側の幅が第２の端縁側の幅よりも大きいことを特徴とする箱用シート。
【請求項２】
上記スリットの第１の端縁側の幅と第２の端縁側の幅との差が、０．５ｍｍ以上２ｍｍ以下である請求項１に記載の箱用シート。
【請求項３】
上記一対の差込片が、組立て状態で上記スリットの第２の端縁側の端部に係合する切欠きを有する請求項１又は請求項２に記載の箱用シート。
【請求項４】
上記底板部の第１乃至第４の端縁並びに第１乃至第４の側板部の延出側の端縁の少なくともいずれかが、一対の罫線と、この一対の罫線の間に形成されるミシン目とから構成される請求項１、請求項２又は請求項３に記載の箱用シート。
【請求項５】
上記罫線の長さが５ｍｍ以上２５ｍｍ以下である請求項４に記載の箱用シート。
【考案の詳細な説明】
【技術分野】
【０００１】
本考案は、箱用シートに関する。
【背景技術】
【０００２】
例えばピザ用箱等、幅及び長さに比べて高さが小さい箱は、底板と底板の各端縁から延設される複数の側板と、側板のいずれかから延設される蓋板とを有する構造とされることが多い。
【０００３】
このような箱において、蓋板を閉鎖状態に保持する構成としては、蓋板の両側の端縁から延出する差込片を設け、側板の先端縁から延設されるフランジ部に上記差込片が係入されるスリットを設ける構造がある（例えば特開２００８−１５５９６０号公報参照）。
【０００４】
蓋板の両側の端縁に差込片を設けた場合、蓋板を折り返しつつ、両側の差込片を同時にスリットに挿入しなければならないため、蓋板を閉鎖する作業が容易ではなくなるという問題が生じる。
【０００５】
また、ピザ用箱のように折り曲げ線の長さが箱の高さに比してかなり大きい場合、予め予定される折り曲げ線に沿って正確に折り曲げることができなければ、箱の組立てが容易でなくなったり、組立てた箱が変形したりするという問題が生じる。
【０００６】
一般に、ピザ用箱の材質としては、段ボールシートが用いられることが多いが、段ボールシートに折り曲げ線を形成する方法としては、シートを型押しして罫線を設ける方法と、シートに断続的な切込み（いわゆるミシン目）を設ける方法とがある。
【０００７】
しかしながら、折り曲げ線が長いピザ用箱では、罫線により折り曲げ線を形成すると、この折り曲げ線に沿って正確に折り曲げることが容易ではない。また、ミシン目を用いる場合、折り曲げ線の端部の切込みのない部分を長くするとこの端部で正確に折り曲げられないおそれがあり、逆に端部の切込みのない部分を短くするとこの端部が破断するおそれがある。
【０００８】
このような折り曲げ線に沿って折り曲げることの困難性は、上記蓋板の閉鎖作業をさらに困難にする。
【先行技術文献】
【特許文献】
【０００９】
【特許文献１】特開２００８−１５５９６０号公報
【考案の概要】
【考案が解決しようとする課題】
【００１０】
上記不都合に鑑みて、本考案は、蓋板の閉鎖が比較的容易な箱用シートを提供することを課題とする。
【課題を解決するための手段】
【００１１】
上記課題を解決するためになされた考案は、一枚のシートからなり、底板と天板と複数の側板とを有する箱に組立てられる箱用シートであって、対向し合う第１及び第２の端縁並びに対向し合う第３及び第４の端縁を有し、組立て状態で底板を形成する底板部と、上記底板部の第１乃至第４の端縁からそれぞれ延出して設けられ、組立て状態で側板を構成する第１乃至第４の側板部と、上記第１及び第２の側板部の延出側の端縁からそれぞれ延出して設けられ、組立て状態で天板を構成する第１及び第２の蓋板部と、上記第３及び第４の側板部の延出側の端縁からそれぞれ延出して設けられ、組立て状態で第１及び第２の蓋板部の下側に配される一対のフランジ部とを備え、上記一対のフランジ部に、第３及び第４の側板部の延出側の端縁に沿ってスリットが形成され、上記第１の蓋板部が、組立て状態で上記スリットにそれぞれ係入可能な一対の差込片を有し、上記スリットの第１の端縁側の幅が第２の端縁側の幅よりも大きいことを特徴とする箱用シートである。
【００１２】
当該箱用シートは、一対のフランジ部に、第３及び第４の側板部の延出側の端縁に沿ってスリットが形成され、第１の蓋板部が組立て状態で上記スリットにそれぞれ係入可能な一対の差込片を有し、上記スリットの第１の端縁側の幅が第２の端縁側の幅よりも大きい。つまり、当該箱用シートは、第１の蓋板部の搖動中心（第１の側板部と第１の蓋板部との間の折り曲げ線）から近く、第１の蓋板部の搖動により一対の差込片をそれぞれスリットに差し込む際に先に差込片が差し込まれるスリットの第１の端縁側の幅が広い。これにより、差込片の挿入の初期段階では差込片の厚さに対するスリットの差込片を受け入れる部分の幅の比が大きく、比較的容易に差込片をスリットに挿入できる。また、当該箱用シートでは、スリットの第２の端縁側の幅が狭くなっていることによって、差込片を差し込むに従って、差込片とスリットとの幅方向の隙間が小さくなり、差込片のスリットに対する係合の正確性及び確実性の低下が防止される。このように、当該箱用シートは、従来と同様に確実に、第１の蓋板部を閉鎖することができ、かつその閉鎖が比較的容易である。
【００１３】
上記スリットの第１の端縁側の幅と第２の端縁側の幅との差としては、０．５ｍｍ以上２ｍｍ以下が好ましい。このように、上記スリットの第１の端縁側の幅と第２の端縁側の幅との差を上記範囲内とすることによって、第１の蓋板部の閉鎖時に差込片をスリットに容易に挿入でき、かつ閉鎖時に不必要な遊びや隙間を形成しないようにできる。なお、「第１の端縁側の幅」及び「第２の端縁側の幅」とは、スリット端部の面取り部分を除いた領域の第１の端縁側及び第２の端縁側の端部の幅を意味する。
【００１４】
上記一対の差込片が、組立て状態で上記スリットの第２の端縁側の端部に係合する切欠きを有するとよい。このように、上記一対の差込片が、組立て状態で上記スリットの第２の端縁側の端部に係合する切欠きを有することによって、第１の蓋板部の閉鎖状態をより確実に保持することができる。
【００１５】
上記底板部の第１乃至第４の端縁並びに第１乃至第４の側板部の延出側の端縁の少なくともいずれかが、一対の罫線と、この一対の罫線の間に形成されるミシン目とから構成されるとよい。このように、上記底板部の第１乃至第４の端縁並びに第１乃至第４の側板部の延出側の端縁の少なくともいずれかが、一対の罫線と、この一対の罫線の間に形成されるミシン目とから構成されることによって、折り曲げ線でのシートの破断を招来することなく、予定した位置でシートを折り曲げることが可能になる。これによって、箱をより確実に設計通りの形状に組立てることができ、箱の美観及び安定性が向上し、かつ第１の蓋板部の搖動の軸が安定することにより、第１の蓋板部の閉鎖をさらに容易にできる。
【００１６】
上記罫線の長さとしては、５ｍｍ以上２５ｍｍ以下が好ましい。このように、上記罫線の長さを上記範囲内とすることによって、より正確に折り曲げ線に沿ってシートを折り曲げることができ、かつ折り曲げ線の端部の破断をより確実に防止できる。
【考案の効果】
【００１７】
上述のように、本考案の箱用シートは、箱を組立てる際の蓋板部の閉鎖が比較的容易である。
【図面の簡単な説明】
【００１８】
【図１】本考案の一実施形態の箱用シートを示す模式的平面図である。
【図２】図１の箱用シートを組立ててなる箱の模式的斜視図である。
【図３】図１の箱用シートのフラップのスリットを示す模式的拡大平面図である。
【図４】図１の箱用シートの組立て途中を示す模式的平面図である。
【図５】図３の模式的Ａ−Ａ線断面図である。
【考案を実施するための形態】
【００１９】
以下、適宜図面を参照しつつ、本考案の実施の形態を詳説する。
【００２０】
［箱用シート］
図１の箱用シートは、本考案の一実施形態であり、図２に示すように底板と天板と複数の側板とを有する箱に組立てることができる。当該箱用シートを組立ててなる箱は、ピザの宅配において、ピザを収容するために使用することができる。
【００２１】
当該箱用シートは、ライナーと中芯とを有する一枚の段ボールシートからなり、図１において、太い線は段ボールシートを切断した切断線を示し、細い線は段ボールシートに型押しして形成した罫線を示す。なお、太い線の破線状に見える部分は、隠れ線等を意味するものではなく、断続的に段ボールシートに切込みを入れたミシン目であり、線の存在する部分で段ボールシートが実際に切断される。また、このミシン目の切断箇所は、段ボールシートの片側のライナーが切断されないハーフカットであってもよい。
【００２２】
当該箱用シートを形成する段ボールシートは、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２３】
当該箱用シートは、対向し合う第１及び第２の端縁１ａ，１ｂ並びに対向し合う第３及び第４の端縁１ｃ，１ｄを有し、組立て状態で底板を形成する底板部１と、上記底板部１の第１乃至第４の端縁１ａ，１ｂ，１ｃ，１ｄからそれぞれ延出して設けられ、組立て状態で側板を構成する第１乃至第４の側板部２，３，４，５と、上記第１及び第２の側板部２，３の延出側の端縁２ａ，３ａからそれぞれ延出して設けられ、組立て状態で天板を構成する第１及び第２の蓋板部６，７と、上記第３及び第４の側板部４，５の延出側の端縁４ａ，５ａからそれぞれ延出して設けられ、組立て状態で第１及び第２の蓋板部６，７の下側に配される一対のフランジ部８，９とを備える。
【００２４】
第３及び第４の側板部４，５は、延出方向と垂直方向両側の端縁４ｂ，４ｃ，５ｂ，５ｃから延出して設けられ、組立て状態で側板部２，３の内側に配される折り込み片１０，１１，１２，１３をそれぞれ有する。
【００２５】
第１の蓋板部６は、延出方向と垂直方向両側の端縁６ｂ，６ｃの延出側の端縁６ａの近傍領域からそれぞれ延出して設けられる一対の差込片１４，１５を有する。
【００２６】
一対のフランジ部８，９は、第３及び第４の側板部４，５の延出側の端縁４ａ，５ａに沿って形成され、組立て状態で差込片１４，１５がそれぞれ係入可能な一対のスリット１６，１７を有する。
【００２７】
このスリット１６，１７は、平面視でフランジ部８，９内を第３及び第４の端縁１ｃ，１ｄに対して僅かに傾斜して延在し、両端が屈曲して第３及び第４の側板部４，５の延出側の端縁４ａ，５ａに接続されるよう形成される切込みによって画定される。
【００２８】
つまり、スリット１６，１７は、図３に示すように、フランジ部８，９を側板部４，５に対して折り曲げたとき、上記切込みに囲まれ、側板部４，５に連接する部分が側板部４，５と一体にフランジ部８，９から引き起こされることによって形成される。
【００２９】
また、スリット１６，１７は、上記切込みが第３及び第４の端縁１ｃ，１ｄに対して僅かに傾斜して延在していることによって、テーパー状に形成される。具体的には、スリット１６，１７は、第１の端縁側の幅Ｗ１が第２の端縁１ｂ側の幅Ｗ２よりも大きい。
【００３０】
当該箱用シートにおいて、段ボールシートは、第１及び第２の蓋板部６，７の延出方向と平行（図１において上下方向）に中芯の稜線が延在するように配向されることが好ましい。このように中芯を配向することにより、第１及び第２の蓋板部６，７が閉塞時のモーメントで折り曲げ線以外の位置で折れ曲がる危険性を低減できる。
【００３１】
＜底板部＞
底板部１は、略方形に形成される。底板部１の第１乃至第４の端縁１ａ，１ｂ，１ｃ，１ｄは、それぞれ、一対の罫線と、この一対の罫線の間に形成されるミシン目とから構成される。つまり、底板部１の端縁１ａ，１ｂ，１ｃ，１ｄの両端部は罫線によって画定され、底板部１の端縁１ａ，１ｂ，１ｃ，１ｄの中間部は、ミシン目によって画定される。また、これらの罫線及びミシン目は、底板部１に対して第１乃至第４の側板部を折り立てることを容易にする折り曲げ線として機能する。
【００３２】
底板部１の端縁１ａ，１ｂ，１ｃ，１ｄの両端部の罫線の長さの下限としては、５ｍｍが好ましく、８ｍｍがより好ましい。一方、底板部１の端縁１ａ，１ｂ，１ｃ，１ｄの両端部の罫線の長さの上限としては、２５ｍｍが好ましく、２０ｍｍがより好ましい。底板部１の端縁１ａ，１ｂ，１ｃ，１ｄの両端部の罫線の長さが上記下限に満たない場合、底板部１の端縁１ａ，１ｂ，１ｃ，１ｄの両端部の罫線、つまり底板部１と側板部２，３，４，５との間の折り曲げ線に沿って正確に段ボールシートを折り曲げることができないおそれがある。逆に、底板部１の端縁１ａ，１ｂ，１ｃ，１ｄの両端部の罫線の長さが上記上限を超える場合、底板部１に対して側板部２，３，４，５を折り曲げるために大きな力が必要となり、組立て性が不十分となるおそれがある。
【００３３】
底板部１の端縁１ａ，１ｂ，１ｃ，１ｄの中央部のミシン目の各切込みの平均長さの下限としては、３ｍｍが好ましく、４ｍｍがより好ましい。一方、底板部１の端縁１ａ，１ｂ，１ｃ，１ｄの中央部のミシン目の各切込みの平均長さの上限としては、２０ｍｍが好ましく、１５ｍｍがより好ましい。底板部１の端縁１ａ，１ｂ，１ｃ，１ｄの中央部のミシン目の各切込みの平均長さが上記下限に満たない場合、段ボールシートの折り曲げを十分に誘導できないおそれがある。逆に、底板部１の端縁１ａ，１ｂ，１ｃ，１ｄの中央部のミシン目の各切込みの平均長さが上記上限を超える場合、当該箱用シートを組立てたときに、段ボールシートの破断を生じるおそれや不必要な隙間を生じるおそれがある。
【００３４】
底板部１の端縁１ａ，１ｂ，１ｃ，１ｄの中央部のミシン目の切込みの合計長のミシン目の全長に対する比の下限としては、０．３が好ましく、０．４がより好ましい。一方、底板部１の端縁１ａ，１ｂ，１ｃ，１ｄの中央部のミシン目の切込みの合計長のミシン目の全長に対する比の上限としては、０．７が好ましく、０．６がより好ましい。底板部１の端縁１ａ，１ｂ，１ｃ，１ｄの中央部のミシン目の切込みの合計長のミシン目の全長に対する比が上記下限に満たない場合、段ボールシートの折り曲げを十分に誘導できないおそれがある。逆に、底板部１の端縁１ａ，１ｂ，１ｃ，１ｄの中央部のミシン目の切込みの合計長のミシン目の全長に対する比が上記上限を超える場合、段ボールシートの破断を生じるおそれがある。
【００３５】
＜側板部＞
第１乃至第４の側板部２，３，４，５は、延出長さが等しく、それぞれ略長方形に形成されている。
【００３６】
第１及び第２の側板部２，３の延出側の端縁２ａ，３ａは、一対の罫線と、この一対の罫線の間に形成されるミシン目とから構成される。これらの罫線及びミシン目は、第１及び第２の側板部２，３に対して第１及び第２の蓋板部６，７を折り曲げることを容易にする折り曲げ線として機能する。これら側板部２，３の延出側の端縁２ａ，３ａの具体的構成としては、底板部１の端縁１ａ，１ｂ，１ｃ，１ｄと同様とすることができる。
【００３７】
一方、第３及び第４の側板部の延出側の端縁４ａ，５ａは、それぞれの両端に形成される一対の罫線と、これらの罫線とスリット１６，１７を画定する切込みの端部との間に形成されるミシン目とから構成される。また、このミシン目は、スリット１６，１７を形成する切込みの両端間には形成されない。つまり、第３及び第４の側板部と一対のフランジ部８，９との境界には、スリット１６，１７の範囲を除いて上記罫線及びミシン目からなる折り曲げ線が形成される。
【００３８】
また、第３及び第４の側板部の延出側の端縁４ａ，５ａにおいて、スリット１６，１７を画定する切込みの両端部は、ミシン目の切込みと離間するよう形成される。これにより、スリット１６，１７の端部が破れ易くなることを防止できる。
【００３９】
さらに、第３及び第４の側板部の延出側の端縁４ａ，５ａ上には、スリット１６，１７を画定する切込みの第２端縁１ｂ側の端部から伸びる短い罫線が形成されている。このスリット１６，１７の第２端縁１ｂ側の端部に連続する罫線は、スリット１６，１７に差込片１４，１５が挿入されたときに、スリット１６，１７の端部が幅方向に拡げられて、スリット１６，１７を画定する切込みが第３及び第４の側板部４，５に延伸するような段ボールシートの破断を生じることを抑制する。
【００４０】
このスリット１６，１７の第２端縁１ｂ側の端部に連続する罫線の長さの下限としては、１．５ｍｍが好ましく、２ｍｍがより好ましい。一方、スリット１６，１７の第２端縁１ｂ側の端部に連続する罫線の長さの上限としては、５ｍｍが好ましく、４ｍｍがより好ましい。スリット１６，１７の第２端縁１ｂ側の端部に連続する罫線の長さが上記下限に満たない場合、スリット１６，１７を画定する切込みが延伸するような破断を防止する効果が不十分となるおそれがある。逆に、スリット１６，１７の第２端縁１ｂ側の端部に連続する罫線の長さが上記上限を超える場合、第３及び第４の側板部４，５の延出側の端縁４ａ，５ａに沿う破断を生じやすくなるおそれがある。
【００４１】
＜蓋板部＞
第１及び第２の蓋板部６，７は、第１及び第２の側板部２，３の延出側の端縁２ａ，３ａを軸にそれぞれ揺動し、当該箱用シートを組立ててなる箱の開閉可能な蓋体を構成する。第１及び第２の蓋板部６，７は、箱を閉鎖する状態で、延出方向先端側の部分が重なり合う。より詳しくは、第２の蓋板部７をフランジ部８，９の上に重ねた後、第１の蓋板部６がフランジ部８，９及び第２の蓋板部７の先端部上に重ねられる。
【００４２】
第２の蓋板部７は、延出側の先端部両側の幅が狭くなるよう切り落とし７ａ，７ｂが形成されている。この切り落とし７ａ，７ｂは、図４に示すように、当該箱用シートを組立てて箱を形成する際、蓋板部７がフランジ部８，９のスリット１６，１７を塞ぐことがないよう、組立て状態でスリット１６，１７と重複し得る部分を除去するよう形成される。
【００４３】
（差込片）
差込片１４，１５は、第１の蓋板部６の本体の両側端縁からそれぞれ延出するよう、略方形に形成され、第１の蓋板部６の本体との間に罫線が形成され、第１の蓋板部６の本体に対して内側に折り曲げられることにより、スリット１６，１７に係入可能になる。
【００４４】
これらの差込片１４，１５は、当該箱用シートの組立て状態、つまり当該箱用シートを組立ててなる箱の封函状態において、フランジ部８，９のスリット１６，１７に係入されることにより蓋板部６を閉鎖した状態を保持する。
【００４５】
差込片１４，１５の組立て状態での第２の端縁１ｂ側の端縁は、差込片１４，１５の延出側の幅が狭くなるよう傾斜し、第１の蓋板部６の搖動の軸となる第１の側板部２の延出側の端縁２ａの近い側の端部からの距離が、延出側ほど小さくなる。これにより、第１の蓋板部６の搖動によって差込片１４，１５を差し込むことが可能となる。
【００４６】
差込片１４，１５の第３及び第４の端縁１ｃ，１ｄに沿う方向の平均長さの下限としては、３０ｍｍが好ましく、５０ｍｍがより好ましい。一方、差込片１４，１５の第３及び第４の端縁１ｃ，１ｄに沿う方向の平均長さの上限としては、１００ｍｍが好ましく、８０ｍｍがより好ましい。差込片１４，１５の第３及び第４の端縁１ｃ，１ｄに沿う方向の平均長さが上記下限に満たない場合、スリット１６，１７のテーパーを最適化できず、差込片１４，１５のスリット１６，１７への挿入を容易化する効果が不十分になるおそれがある。逆に、差込片１４，１５の第３及び第４の端縁１ｃ，１ｄに沿う方向の平均長さが上記上限を超える場合、スリット１６，１７の長さが大きくなり過ぎることにより、当該箱用シートを組立ててなる箱の強度が不十分となるおそれがある。
【００４７】
差込片１４，１５の蓋板部６の本体からの平均延出長さの下限としては、１５ｍｍが好ましく、２０ｍｍがより好ましい。一方、差込片１４，１５の蓋板部６の本体からの平均延出長さの上限としては、８０ｍｍが好ましく、６０ｍｍがより好ましい。差込片１４，１５の蓋板部６の本体からの平均延出長さが上記下限に満たない場合、差込片１４，１５をスリット１６，１７に差し込むことが容易ではなくなるおそれがある。逆に、差込片１４，１５の蓋板部６の本体からの平均延出長さが上記上限を超える場合、封函作業が煩雑となるおそれがある。
【００４８】
差込片１４，１５は、蓋板部６の閉鎖状態の保持をより確実にするために、組立て状態でスリット１６，１７の第２の端縁１ｂ側の端部に係合する切欠き１４ａ，１５ａを有する。
【００４９】
切欠き１４ａ，１５ａは、第１の蓋板部６の本体との境界の罫線から段ボールシートの厚さの略２倍の開口幅を有し、第１の蓋板部６の本体側のエッジが傾斜し、第１の蓋板部６の本体と反対側のエッジが第１の蓋板部６の本体との境界の罫線と略平行な概略台形状に形成され、奥部（台形の上底）のエッジの長さが、段ボールシートの厚さ以上となっている。つまり、切欠き１４ａ，１５ａは、図５に示すように、当該箱用シートの組立て状態で、第１の蓋板部６の本体と反対側のエッジがスリット１６，１７の第２の端縁１ｂ側のフランジ部８，９の内面に係止されることによって、差込片１４，１５がスリット１６，１７から抜け出ることを防止する。
【００５０】
切欠き１４ａ，１５ａの第３及び第４の端縁１ｃ，１ｄに沿う方向の深さ（第１の蓋板部６の本体と反対側のエッジの長さ）の下限としては、２ｍｍが好ましく、３ｍｍがより好ましい。一方、切欠き１４ａ，１５ａの第３及び第４の端縁１ｃ，１ｄに沿う方向の深さの上限としては、８ｍｍが好ましく、５ｍｍがより好ましい。切欠き１４ａ，１５ａの第３及び第４の端縁１ｃ，１ｄに沿う方向の深さが上記下限に満たない場合、差込片１４，１５のスリット１６，１７へ係合が不十分となり、当該箱用シートを組立ててなる箱の封函状態を保持できないおそれがある。逆に、切欠き１４ａ，１５ａの第３及び第４の端縁１ｃ，１ｄに沿う方向の深さが上記上限を超える場合、差込片１４，１５が第１の蓋板部６の本体から断裂しやすくなるおそれがある。
【００５１】
＜フランジ部＞
フランジ部８，９は、当該箱用シートの組立て状態で、底板部１の上方に延出するよう第３及び第４の側板部４，５に対して折り曲げられる。このフランジ部８，９の上に、第１及び第２の蓋板部６，７が重ねられることによって、当該箱用シートを組立ててなる箱の隙間を封止する。
【００５２】
（スリット）
フランジ部８，９のスリット１６，１７は、第１の端縁１ａ側の幅Ｗ１が第２の端縁１ｂ側の幅Ｗ２よりも大きいテーパー状に形成されているため、第１の蓋板部６を搖動させて当該箱用シートを組立てた箱を封函する際に、最初に差込片１４，１５の延出側の端縁の第１の端縁１ａ側の端部が、スリット１６，１７の第１の端縁１ａ側の幅が広い部分に挿入される。このため、当該箱用シートは、組立て時に、差込片１４，１５をスリット１６，１７に比較的容易に挿入できる。
【００５３】
また、スリット１６，１７は、第２の端縁１ｂ側の幅Ｗ２が狭いテーパー状となっているため、第１の蓋板部６を完全に閉鎖するとき、差込片１４，１５の第２の端縁１ｂ側部分がスリット１６，１７に把持され、第１の蓋板部６のがたつきを防止する。
【００５４】
スリット１６，１７の第２の端縁１ｂ側の幅Ｗ２の下限としては、当該箱用シートを構成する段ボールシートの平均厚さの０．８倍が好ましく、０．９倍がより好ましい。一方、スリット１６，１７の第２の端縁１ｂ側の幅Ｗ２の上限としては、当該箱用シートを構成する段ボールシートの平均厚さの１．２倍が好ましく、１．１倍がより好ましい。スリット１６，１７の第２の端縁１ｂ側の幅Ｗ２が上記下限に満たない場合、スリット１６，１７に差込片１４，１５を完全に差し込むことが容易でなくなるおそれがある。逆に、スリット１６，１７の第２の端縁１ｂ側の幅Ｗ２が上記上限を超える場合、スリット１６，１７による差込片１４，１５の把持が不十分となり、第１の蓋板部６ががたつくおそれがある。
【００５５】
スリット１６，１７の第１の端縁１ａ側の幅Ｗ１と第２の端縁１ｂ側の幅Ｗ２との差の下限としては、０．５ｍｍが好ましく、０．８ｍｍがより好ましい。一方、スリット１６，１７の第１の端縁１ａ側の幅と第２の端縁１ｂ側の幅Ｗ２との差の上限としては、２ｍｍが好ましく、１．５ｍｍがより好ましい。スリット１６，１７の第１の端縁１ａ側の幅Ｗ１と第２の端縁１ｂ側の幅Ｗ２との差が上記下限に満たない場合、差込片１４，１５のスリット１６，１７への挿入を十分に容易化できないおそれがある。逆に、スリット１６，１７の第１の端縁１ａ側の幅Ｗ１と第２の端縁１ｂ側の幅Ｗ２との差が上記上限を超える場合、スリット１６，１７による差込片１４，１５の把持が不十分となり、第１の蓋板部６ががたつくおそれがある。
【００５６】
スリット１６，１７の長さとしては、差込片１４，１５の切欠き１４ａ，１５ａの延出側に部分での第３及び第４の端縁１ｃ，１ｄに沿う方向の長さ（差込片１４，１５の長さの第３及び第４の端縁１ｃ，１ｄに沿う方向の長さの極大値）以下、差込片１４，１５の切欠き１４ａ，１５ａの奥部での第３及び第４の端縁１ｃ，１ｄに沿う方向の長さ以上とすることが好ましい。このように、スリット１６，１７の長さを上記範囲内とすることによって、差込片１４，１５のスリット１６，１７への挿入が容易となり、かつ差込片１４，１５のスリット１６，１７との係合が確実となる。
【００５７】
＜利点＞
当該箱用シートは、スリット１６，１７の第１の端縁１ａ側の幅Ｗ１が第２の端縁１ｂ側の幅Ｗ２よりも大きいことによって、第１の蓋板部６の搖動により一対の差込片１４，１５をそれぞれ差し込む際にスリット１６，１７の最初に差込片１４，１５が差し込まれる領域の幅が広い。これにより、差込片１４，１５の挿入の初期段階ではスリット１６，１７の幅が相対的に広く、比較的容易に差込片１４，１５をスリット１６，１７に挿入することができる。
【００５８】
また、当該箱用シートでは、スリット１６，１７の第２の端縁１ｂ側の幅Ｗ２が狭くなっていることによって、差込片１４，１５を差し込むに従って、差込片１４，１５とスリット１６，１７との幅方向の隙間が小さくなり、差込片１４，１５がスリット１６，１７に対して正確かつ確実性に係入され、第１の蓋板部６をしっかりと把持して閉塞状態に係止することができる。
【００５９】
また、当該箱用シートは、底板部１の第１乃至第４の端縁１ａ，１ｂ，１ｃ，１ｄ並びに第１乃至第４の側板部２，３，４，５の延出側の端縁２ａ，３ａ，４ａ，５ａ、つまり、底板部１と第１乃至第４の側板部２，３，４，５との間の折り曲げ線、第１及び第２の側板部２，３と第１及び第２の蓋板部６，７との間の折り曲げ線、並びに第３及び第４の側板部４，５との間の折り曲げ線が、それぞれ、一対の罫線と、この一対の罫線の間に形成されるミシン目とから構成される。これによって、当該箱用シートを組立てる際に、予定される折り曲げ線に沿って正確に段ボールシートを折り曲げることができ、かつ、折り曲げ線の端部に破れが生じ難い。このため、当該箱用シートは確実に設計通りの形状の箱に組立てることができ、組立て後の箱の美観及び安定性が向上する。さらに、当該箱用シートを組立ててなる箱は、第１の蓋板部６の搖動の軸（第１の側板部２の延出側の端縁２ａの折り曲げ）が安定することにより、差込片１４，１５をスリット１６，１７に差し込む第１の蓋板部６の閉鎖動作をさらに容易にすることができる。
【００６０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６１】
当該箱用シートの底板部及び当該箱用シートを組立ててなる箱の平面形状は、上記実施形態のように方形状のものに限られず、例えば八角形状等他の形状とすることができる。当該箱用シートの底板部及び当該箱用シートを組立ててなる箱の平面形状を八角形状にする場合、折り込み片等の構成の公知の変形により、残りの側板を形成するように構成することができる。
【００６２】
当該箱用シートにおいて、底板部の第１乃至第４の端縁並びに第１乃至第４の側板部の延出側の端縁は、罫線のみ又はミシン目のみから構成されてもよい。
【００６３】
第１の蓋板部の形状は、図示した上記実施形態では延出側の端縁が状に湾曲しており、意匠効果を奏するが、当該箱用シートを組立ててなる箱を閉鎖した状態で第１の蓋板の先端部が第２の蓋板部の先端部と重複して隙間をなくすことができればどのような形状であってもよい。
【００６４】
当該箱用シートにおいて、第２の蓋板部の延出長さが短く、組立て状態において第１の蓋板部が第２の側板部の延出側の端縁上に略重なるよう、つまり第１の蓋板部の平面形状が底板部の平面形状と略等しくなるようにしてもよい。この場合、第２の蓋板部にさらなるスリットを設け、第１の蓋板部の延出側の端縁にさらなる差込片を設けてもよい。
【００６５】
当該箱用シートにおいて、第１の蓋板部は、両側端縁のどの位置に差込片を有してもよい。
【産業上の利用可能性】
【００６６】
本考案の箱用シートは、例えばピザ用箱のような高さが小さい箱を形成するために好適に利用される。
【符号の説明】
【００６７】
１  底板部
１ａ，１ｂ，１ｃ，１ｄ  端縁
２，３，４，５  側板部
２ａ，３ａ，４ａ，５ａ  延出側の端縁
４ｂ，４ｃ，５ｂ，５ｃ  延出方向と垂直方向両側の端縁
６，７  蓋板部
６ａ  延出側の端縁
６ｂ，６ｃ  延出方向と垂直方向両側の端縁
７ａ，７ｂ  切り落とし
８，９  フランジ部
１０，１１，１２，１３  折り込み片
１４，１５  差込片
１４ａ，１５ａ  切欠き
１６，１７  スリット
Ｗ１  第１の端縁側の幅
Ｗ２  第２の端縁側の幅
【図１】
0003197531.tif 000003
【図２】
0003197531.tif 000004
【図３】
0003197531.tif 000005
【図４】
0003197531.tif 000006
【図５】
0003197531.tif 000007